(57)【特許請求の範囲】
【請求項１】
サーバに適用されるイメージ共有方法であって、
共有アルバムに同期化させる必要があるイメージがあるか否かを検出するステップと、
前記共有アルバムに同期化させる必要があるイメージがあることが検出されると、共有する必要がある予め設定した顔特徴を記録するための第１リスト中に、前記イメージ中の顔特徴と一致する予め設定した顔特徴が存在するか否かを特定するステップと、
前記イメージ中の顔特徴と一致する予め設定した顔特徴が存在すると、前記イメージを前記共有アルバム中に保存するステップと、を含み、
前記共有アルバムに同期化させる必要があるイメージがあるか否かを検出するステップは、
前記共有アルバムに対して同期化権限を有するユーザＩＤを記録するための第２リスト中に、共有アルバムに同期化させる必要があるイメージに対応するユーザＩＤが保存されているか否かを検出するステップと、
前記第２リスト中に前記共有アルバムに同期化させる必要があるイメージに対応するユーザＩＤが保存されていると、前記共有アルバムに同期化させる必要があるイメージを特定するステップと、
前記第２リスト中に前記共有アルバムに同期化させる必要があるイメージに対応するユーザＩＤが保存されていないと、前記共有アルバムに同期化させる必要があるイメージを前記共有アルバム中に同期化させることを不可するステップと、を含み、
予め設定した顔特徴と一致している顔特徴を有している前記イメージを、前記共有アルバム中の予め設定した顔特徴のファイルに保存し、
前記第２リストは、共有アルバムのユーザにより、関連する人の間との関係、及び、共有アルバムのセキュリティに基づいて設定される
ことを特徴とするイメージ共有方法。
【請求項２】
前記共有アルバムにアクセスしようとするユーザＩＤが検出されると、前記共有アルバムをアクセスする権限を有するユーザＩＤを記録するための第３リスト中に、前記ユーザＩＤが保存されているか否かを特定するステップと、
前記第３リスト中に前記共有アルバムをアクセスしようとする前記ユーザＩＤが保存されていると、前記共有アルバムをアクセスしようとする前記ユーザＩＤに対応するユーザが前記共有アルバムをアクセスすることを許可するステップと
をさらに含むことを特徴とする請求項１に記載のイメージ共有方法。
【請求項３】
クラウドアルバム中の各イメージ中の顔特徴を認識するステップと、
前記クラウドアルバム中の顔特徴に対して顔によるクラスタリングを行って、同一な顔特徴を有するイメージを含む、少なくとも一つの顔アルバムを得るステップと、
前記顔アルバムに基づいて前記共有アルバムを作成するステップと
をさらに含むことを特徴とする請求項１に記載のイメージ共有方法。
【請求項４】
サーバに適用されるイメージ共有装置であって、
共有アルバムに同期化させる必要があるイメージがあるか否かを検出するための検出モジュールと、
前記検出モジュールにより前記共有アルバムに同期化させる必要があるイメージがあることが検出されると、共有する必要がある予め設定した顔特徴を記録するための第１リスト中に、前記イメージ中の顔特徴と一致する予め設定した顔特徴が存在するか否かを特定するための第１特定モジュールと、
前記第１特定モジュールにより前記イメージ中の顔特徴と一致する予め設定した顔特徴が存在することが特定されると、前記イメージを前記共有アルバム中に保存するための保存モジュールと、を備え、
前記検出モジュールは、
同期化権限を有するユーザＩＤを記録するための第２リスト中に、共有アルバムに同期化させる必要があるイメージに対応するユーザＩＤが保存されているか否かを検出するための検出サブモジュールと、
前記検出サブモジュールにより前記第２リスト中に前記共有アルバムに同期化させる必要があるイメージに対応するユーザＩＤが保存されていることが検出されると、前記共有アルバムに同期化させる必要があるイメージを特定するための特定サブモジュールと、
前記検出サブモジュールにより前記第２リスト中に前記共有アルバムに同期化させる必要があるイメージに対応するユーザＩＤが保存されていないことが検出されると、前記共有アルバムに同期化させる必要があるイメージを前記共有アルバム中に同期化させることを不可するための不可サブモジュールと、を備え、
予め設定した顔特徴と一致している顔特徴を有している前記イメージを、前記共有アルバム中の予め設定した顔特徴のファイルに保存し、
前記第２リストは、共有アルバムのユーザにより、関連する人の間との関係、及び、共有アルバムのセキュリティに基づいて設定される
ことを特徴とするイメージ共有装置。
【請求項５】
前記検出モジュールにより前記共有アルバムにアクセスしようとするユーザＩＤが検出されると、前記共有アルバムをアクセスする権限を有するユーザＩＤを記録するための第３リスト中に、前記ユーザＩＤが保存されているか否かを特定するための第２特定モジュールと、
前記第２特定モジュールにより前記第３リスト中に前記共有アルバムをアクセスしようとする前記ユーザＩＤが保存されていることが特定されると、前記共有アルバムをアクセスしようとする前記ユーザＩＤに対応するユーザが前記共有アルバムをアクセスすることを許可するためのアクセスモジュールと
をさらに備えることを特徴とする請求項４に記載のイメージ共有装置。
【請求項６】
クラウドアルバム中の各イメージ中の顔特徴を認識するための認識モジュールと、
前記認識モジュールによって認識された前記クラウドアルバム中の顔特徴に対して顔によるクラスタリングを行って、同一な顔特徴を有するイメージを含む、少なくとも一つの顔アルバムを得るための顔クラスタ化モジュールと、
前記顔クラスタ化モジュールによりクラスタ化し得た顔アルバムに基づいて前記共有アルバムを作成するための作成モジュールと
をさらに備えることを特徴とする請求項４に記載のイメージ共有装置。
【請求項７】
プロセッサと、
前記プロセッサが実行可能な命令を記憶するためのメモリと
を備え、
前記プロセッサは、
共有アルバムに同期化させる必要があるイメージがあるか否かを検出し、
前記共有アルバムに同期化させる必要があるイメージがあることが検出されると、共有する必要がある予め設定した顔特徴を記録するための第１リスト中に、前記イメージ中の顔特徴と一致する予め設定した顔特徴が存在するか否かを特定し、
前記イメージ中の顔特徴と一致する予め設定した顔特徴が存在すると、前記イメージを前記共有アルバム中に保存するように構成され、
前記共有アルバムに同期化させる必要があるイメージがあるか否かを検出し、
前記共有アルバムに対して同期化権限を有するユーザＩＤを記録するための第２リスト中に、共有アルバムに同期化させる必要があるイメージに対応するユーザＩＤが保存されているか否かを検出し、
前記第２リスト中に前記共有アルバムに同期化させる必要があるイメージに対応するユーザＩＤが保存されていると、前記共有アルバムに同期化させる必要があるイメージを特定し、
前記第２リスト中に前記共有アルバムに同期化させる必要があるイメージに対応するユーザＩＤが保存されていないと、前記共有アルバムに同期化させる必要があるイメージを前記共有アルバム中に同期化させることを不可し、
予め設定した顔特徴と一致している顔特徴を有している前記イメージを、前記共有アルバム中の予め設定した顔特徴のファイルに保存し、
前記第２リストは、共有アルバムのユーザにより、関連する人の間との関係、及び、共有アルバムのセキュリティに基づいて設定されるように構成される
ことを特徴とするイメージ共有装置。
【請求項８】
プロセッサに実行されることにより、請求項１から請求項３のいずれか１項に記載のイメージ共有方法を実現することを特徴とするプログラム。
【請求項９】
請求項８に記載のプログラムが記録された記録媒体。
【発明の詳細な説明】
【技術分野】
【０００１】
本願は、出願番号がＣＮ２０１５１０１９１１０９.２であって、出願日が２０１５年４月２１日である中国特許出願に基づいて優先権を主張し、当該中国特許出願のすべての内容を援用する。
【０００２】
本発明は、インターネット技術分野に関し、特に、イメージ共有方法、装置、プログラム及び記録媒体に関する。
【背景技術】
【０００３】
クラウド・サーバの機能の豊富化に伴い、クラウド・サーバはクラウド同期化の方法によって端末のユーザのために大量のイメージを保存できることになった。関連技術において、ユーザは、クラウドアルバムを通じてイメージを他人に共有する時に、イメージを特定して、特定した当該イメージを共有する。端末のユーザは、端末を用いて複数のイメージを新たに撮影した場合、これら新たに撮影したイメージをリアルタイムに同期化させる方法によってクラウド・サーバにアップロードできるが、アップロードしたイメージを分類して保存できないため、ユーザのクラウドアルバム中のイメージの照会が不便になる。
【発明の概要】
【発明が解決しようとする課題】
【０００４】
関連技術に存在する問題を解決するために、本発明の実施例は、ユーザの共有アルバム中のイメージの照会を便利にするための、イメージ共有方法、装置、プログラム及び記録媒体を提供する。
【課題を解決するための手段】
【０００５】
本発明の実施例に係る第１の態様によると、サーバに適用されるイメージ共有方法を提供する。
【０００６】
当該方法は、
共有アルバムに同期化させる必要があるイメージがあるか否かを検出するステップと、
共有アルバムに同期化させる必要があるイメージがあることが検出されると、共有する必要がある予め設定した顔特徴を記録するための第１リスト中に、前記イメージ中の顔特徴と一致する予め設定した顔特徴が存在するか否かを特定するステップと、
前記イメージ中の顔特徴と一致する予め設定した顔特徴が存在すると、前記イメージを前記共有アルバム中に保存するステップと
を含む。
【０００７】
一実施例において、前記共有アルバムに同期化させる必要があるイメージがあるか否かを検出するステップは、
前記共有アルバムに対して同期化権限を有するユーザＩＤを記録するための第２リスト中に、共有アルバムに同期化させる必要があるイメージに対応するユーザＩＤが保存されているか否かを検出するステップと、
前記第２リスト中に前記共有アルバムに同期化させる必要があるイメージに対応するユーザＩＤが保存されていると、前記共有アルバムに同期化させる必要があるイメージを特定するステップと、
前記第２リスト中に前記共有アルバムに同期化させる必要があるイメージに対応するユーザＩＤが保存されていないと、前記共有アルバムに同期化させる必要があるイメージを前記共有アルバム中に同期化させることを不可するステップと
を含む。
【０００８】
一実施例において、前記方法は、
前記共有アルバムにアクセスしようとするユーザＩＤが検出されると、前記共有アルバムをアクセスする権限を有するユーザＩＤを記録するための第３リスト中に、前記ユーザＩＤが保存されているか否かを特定するステップと、
前記第３リスト中に前記共有アルバムをアクセスしようとする前記ユーザＩＤが保存されていると、前記共有アルバムをアクセスしようとする前記ユーザＩＤに対応するユーザが前記共有アルバムをアクセスすることを許可するステップと
をさらに含む。
【０００９】
一実施例において、前記方法は、
クラウドアルバム中の各イメージ中の顔特徴を認識するステップと、
前記クラウドアルバム中の顔特徴に対して顔によるクラスタリングを行って、同一な顔特徴を有するイメージを含む、少なくとも一つの顔アルバムを得るステップと、
前記顔アルバムに基づいて前記共有アルバムを作成するステップと
をさらに含む。
【００１０】
本発明の実施例に係る第２の態様によると、サーバに適用されるイメージ共有装置を提供する。
【００１１】
当該装置は、
共有アルバムに同期化させる必要があるイメージがあるか否かを検出するための検出モジュールと、
前記検出モジュールにより共有アルバムに同期化させる必要があるイメージがあることが検出されると、共有する必要がある予め設定した顔特徴を記録するための第１リスト中に、前記イメージ中の顔特徴と一致する予め設定した顔特徴が存在するか否かを特定するための第１特定モジュールと、
前記第１特定モジュールにより前記イメージ中の顔特徴と一致する予め設定した顔特徴が存在することが特定されると、前記イメージを共有アルバム中に保存するための保存モジュールと
を備える。
【００１２】
一実施例において、前記検出モジュールは、
同期化権限を有するユーザＩＤを記録するための第２リスト中に、共有アルバムに同期化させる必要があるイメージに対応するユーザＩＤが保存されているか否かを検出するための検出サブモジュールと、
前記検出サブモジュールにより前記第２リスト中に前記共有アルバムに同期化させる必要があるイメージに対応するユーザＩＤが保存されていることが特定されると、前記共有アルバムに同期化させる必要があるイメージを特定するための特定サブモジュールと、
前記検出サブモジュールにより前記第２リスト中に前記共有アルバムに同期化させる必要があるイメージに対応するユーザＩＤが保存されていないことが特定されると、前記共有アルバムに同期化させる必要があるイメージを前記共有アルバム中に同期化させることを不可するための不可サブモジュールと
を備える。
【００１３】
一実施例において、前記装置は、
前記検出モジュールにより前記共有アルバムにアクセスしようとするユーザＩＤが検出されると、前記共有アルバムをアクセスする権限を有するユーザＩＤを記録するための第３リスト中に、前記ユーザＩＤが保存されているか否かを特定するための第２特定モジュールと、
前記第２特定モジュールにより前記第３リスト中に前記共有アルバムをアクセスしようとする前記ユーザＩＤが保存されていることが特定されると、前記共有アルバムをアクセスしようとする前記ユーザＩＤに対応するユーザが前記共有アルバムをアクセスすることを許可するためのアクセスモジュールと
をさらに備える。
【００１４】
一実施例において、前記装置は、
クラウドアルバム中の各イメージ中の顔特徴を認識するための認識モジュールと、
前記認識モジュールによって認識された前記クラウドアルバム中の顔特徴に対して顔によるクラスタリングを行って、同一な顔特徴を有するイメージを含む、少なくとも一つの顔アルバムを得るための顔クラスタ化モジュールと、
前記顔クラスタ化モジュールによりクラスタ化し得た顔アルバムに基づいて前記共有アルバムを作成するための作成モジュールと
をさらに備える。
【００１５】
本発明の実施例に係る第３の態様によると、イメージ共有装置を提供する。
【００１６】
当該装置は、
プロセッサと、
前記プロセッサが実行可能な命令を記憶するためのメモリと
を備え、
前記プロセッサは、
共有アルバムに同期化させる必要があるイメージがあるか否かを検出し、
前記共有アルバムに同期化させる必要があるイメージがあることが検出されると、共有する必要がある予め設定した顔特徴を記録するための第１リスト中に、前記イメージ中の顔特徴と一致する予め設定した顔特徴が存在するか否かを特定し、
前記イメージ中の顔特徴と一致する予め設定した顔特徴が存在すると、前記イメージを前記共有アルバム中に保存するように構成される。
【００１７】
本発明の実施例の第４の態様によると、プログラムを提供し、当該プログラムは、プロセッサに実行されることにより、上記のイメージ共有方法を実現する。
【００１８】
本発明の実施例の第５の態様によると、記録媒体を提供し、当該記録媒体には、上記プログラムが記録されている。
【発明の効果】
【００１９】
本発明の実施例が提供する構成の有益な効果は以下のとおりである。
【００２０】
共有アルバムに同期化させる必要があるイメージがあることが検出されると、第１リスト中にイメージ中の顔特徴と一致する予め設定した顔特徴が存在するか否かを特定して、イメージ中の顔特徴と一致する予め設定した顔特徴が存在すると、イメージを共有アルバム中に保存することにより、予め設定した顔特徴に対応する人毎の共有アルバムを実現して、ユーザの共有アルバム中のイメージの照会を便利にした。
【００２１】
以上の統括な記述と以下の細部記述は、ただ例示的なものであり、本発明を制限するものではないと、理解するべきである。
【図面の簡単な説明】
【００２２】
ここでの図面は、明細書に合併されて本明細書の一部を構成して本発明に合致する実施例を示し、明細書とともに本発明の原理の説明するに用いられる。
【図１】例示的な実施例に係るイメージ共有方法を示すフローチャートである。
【図２Ａ】例示的な実施例１に係るイメージ共有方法を示すフローチャートである。
【図２Ｂ】例示的な実施例に係るイメージ共有方法に適用する場面を示す模式図である。
【図３】例示的な実施例２に係るイメージ共有方法を示すフローチャートである。
【図４】例示的な実施例３に係るイメージ共有方法を示すフローチャートである。
【図５】例示的な実施例に係るイメージ共有装置を示すブロック図である。
【図６】例示的な実施例に係るもう一イメージ共有装置を示すブロック図である。
【図７】例示的な実施例に係るイメージ共有装置を示すブロック図である。
【発明を実施するための形態】
【００２３】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２４】
図１は、例示的な実施例に係るイメージ共有方法を示すフローチャートである。当該イメージ共有方法は、サーバに適用される。図１に示したように、当該イメージ共有方法は、以下のステップＳ１０１-Ｓ１０３を含む。
【００２５】
ステップＳ１０１において、共有アルバムに同期化させる必要があるイメージがあるか否かを検出する。
【００２６】
一実施例において、共有アルバムに同期化させる必要があるイメージは、当該共有アルバムに対応するユーザＩＤに対応するスマート端末（例えば、スマートフォン、タブレットＰＣである）からのイメージであってもよいし、当該共有アルバムに対してクラウド同期化権限を有するユーザＩＤに対応するスマート端末からのイメージであってもよい。例えば、ユーザＩＤがＢｏｂｂｙ（ユーザＢｏｂｂｙとしてもよい）であるユーザの共有アルバムに対してクラウド同期化権限を有するユーザＩＤは、Ｓｉｍｏｎ、及びＡｍｙを含んでもよい。サーバは、Ｓｉｍｏｎ及びＡｍｙにそれぞれ対応するスマート端末によって複数のイメージが新たに撮影された後に、Ｂｏｂｂｙ、Ｓｉｍｏｎ、及びＡｍｙにそれぞれ対応するスマート端末によって撮影されたイメージを、ユーザＩＤがＢｏｂｂｙであるユーザの共有アルバムに同期化させる必要があるか否かを検出してもよい。
【００２７】
ステップＳ１０２において、共有アルバムに同期化させる必要があるイメージがあることが検出されると、共有する必要がある予め設定した顔特徴を記録するための第１リスト中に、イメージ中の顔特徴と一致する予め設定した顔特徴が存在するか否かを特定する。
【００２８】
一実施例において、共有アルバムに同期化させる必要があるイメージに対して顔認識を行って、イメージ中の顔特徴を取得してもよい。そして、第１リスト中に、当該イメージ中の顔特徴と一致する予め設定した顔特徴が存在するか否かを特定してもよい。一実施例において、第１リスト中のユーザＩＤの数は、共有アルバムのユーザにより、共有する必要がある人のイメージに基づいて設定してもよい。第１リスト中のユーザＩＤは、一つのユーザＩＤを含んでもよいし、二つ以上のユーザＩＤを含んでもよく、本発明においては具体的な数に対して限定しない。
【００２９】
ステップＳ１０３において、イメージ中の顔特徴と一致する予め設定した顔特徴が存在すると、イメージを共有アルバム中に保存する。
【００３０】
一実施例において、例えば、ユーザＳｉｍｏｎは、自分と関係がより近いＢｏｂｂｙの顔特徴を、第１リスト中に設定してもよい。Ｓｉｍｏｎがスマート端末を用いて新たなイメージを撮影した場合、新たなイメージ中にＢｏｂｂｙの顔特徴があるか否かを判断して、Ｂｏｂｂｙ顔特徴が含まれたイメージをＢｏｂｂｙの共有アルバム中に保存してもよい。このようにして、人毎の共有イメージを実現して、ユーザＳｉｍｏｎの共有アルバム中の関連する顔のイメージの照会を便利にした。
【００３１】
本実施例によると、共有アルバムに同期化させる必要があるイメージがあることが検出されると、第１リスト中にイメージ中の顔特徴と一致する予め設定した顔特徴が存在するか否かを特定して、イメージ中の顔特徴と一致する予め設定した顔特徴が存在すると、イメージを共有アルバム中に保存することにより、予め設定した顔特徴に対応する人毎の共有アルバムを実現して、ユーザの共有アルバム中のイメージの照会を便利にした。
【００３２】
一実施例において、共有アルバムに同期化させる必要があるイメージがあるか否かを検出するステップは、
共有アルバムに対して同期化権限を有するユーザＩＤを記録するための第２リスト中に、共有アルバムに同期化させる必要があるイメージに対応するユーザＩＤが保存されているか否かを検出するステップと、
第２リスト中に前記共有アルバムに同期化させる必要があるイメージに対応するユーザＩＤが保存されていると、共有アルバムに同期化させる必要があるイメージを特定するステップと、
第２リスト中に前記共有アルバムに同期化させる必要があるイメージに対応するユーザＩＤが保存されていないと、前記共有アルバムに同期化させる必要があるイメージを共有アルバム中に同期化させることを不可するステップと
を含む。
【００３３】
一実施例において、方法は、
共有アルバムをアクセスしようとするユーザＩＤが検出されると、共有アルバムをアクセスする権限を有するユーザＩＤを記録するための第３リスト中に、当該ユーザＩＤが保存されているか否かを特定するステップと、
第３リスト中に共有アルバムをアクセスしようとする当該ユーザＩＤが保存されていると、共有アルバムをアクセスしようとする当該ユーザＩＤに対応するユーザの共有アルバムのアクセスを許可するステップと
をさらに含む。
【００３４】
一実施例において、方法は、
共有アルバム中の各イメージ中の顔特徴を認識するステップと、
共有アルバム中の顔特徴に対して顔によるクラスタリングを行って、同一な顔特徴を有するイメージを含む、少なくとも一つの顔アルバムを得るステップと
をさらに含む。
【００３５】
イメージ共有を実現する具体的な方法は、後続の実施例を参照してもよい。
【００３６】
上記のように、本発明の実施例によって提供する上記の方法によると、予め設定した顔特徴に対応する人毎の共有アルバムを実現して、ユーザの共有アルバム中のイメージの照会を便利にした。
【００３７】
以下、具体的な実施例を挙げて、本発明の実施例によって提供する構成を説明する。
【００３８】
図２Ａは、例示的な実施例１に係るイメージ共有方法を示すフローチャートであり、図２Ｂは、例示的な実施例に係るイメージ共有方法に適用する場面を示す模式図である。本実施例は、本発明の実施例によって提供する上記の方法において、第２リストの方法によって共有イメージ同期化権限を有するユーザを特定する例を挙げて、例示的に説明する。図２Ｂを結合しながら、本実施例を例示的に説明する。本実施例は、図２Ａに示したように、以下のステップを含む。
【００３９】
ステップＳ２０１において、第２リスト中に、共有アルバムに同期化させる必要があるイメージに対応するユーザＩＤが保存されているか否かを検出する。前記第２リストは、共有アルバムに対して同期化権限を有するユーザＩＤを記録するためのリストである。第２リスト中に、共有アルバムに同期化させる必要があるイメージに対応するユーザＩＤが保存されていると、ステップＳ２０２を実行し、第２リスト中に共有アルバムに同期化させる必要があるイメージに対応するユーザＩＤが保存されていないと、ステップＳ２０５を実行する。
【００４０】
一実施例において、第２リストは、共有アルバムのユーザにより、関連する人の間との関係、及び、共有アルバムのセキュリティに基づいて、設定してもよい。例えば、ユーザＳｉｍｏｎは、自分の配偶者であるＡｍｙが、自分の子供であるＢｏｂｂｙのイメージをＳｉｍｏｎの共有アルバム中に同期化させることを許可してもよい。一実施例において、第２リスト中のユーザＩＤの数は、共有アルバムのユーザにより、共有する必要がある人のイメージに基づいて設定してもよい。第２リスト中のユーザＩＤは、一つのユーザＩＤを含んでもよいし、二つ以上のユーザＩＤを含んでもよく、本発明においては具体的な数に対して限定しない。
【００４１】
ステップＳ２０２において、第２リスト中にユーザＩＤが保存されていると、共有アルバムに同期化させる必要があるイメージを特定する。
【００４２】
例えば、ユーザＳｉｍｏｎの共有アルバムに対応する第２リスト中にユーザＩＤＡｍｙが保存されていると、Ａｍｙによりスマート端末を用いて新たなイメージを撮影した場合、Ｓｉｍｏｎの共有アルバムに同期化させる必要があるイメージが存在すると特定してもよい。下記のステップによって、Ａｍｙが新たに撮影したイメージをＳｉｍｏｎの共有アルバム中に同期化させる必要があるか否かを特定してもよい。
【００４３】
ステップＳ２０３において、共有アルバムに同期化させる必要があるイメージを特定した後に、共有する必要がある予め設定した顔特徴を記録するための第１リスト中に、イメージ中の顔特徴と一致する予め設定した顔特徴が存在するか否かを特定して、イメージ中の顔特徴と一致する予め設定した顔特徴が存在すると、ステップＳ２０４を実行する。
【００４４】
ステップＳ２０３の説明は、上記のステップＳ１０２の説明を参考できるため、ここでは繰り返して説明しない。
【００４５】
ステップＳ２０４において、イメージ中の顔特徴と一致する予め設定した顔特徴が存在すると、イメージを共有アルバム中に保存する。
【００４６】
ステップＳ２０５において、第２リスト中に共有アルバムに同期化させる必要があるイメージに対応するユーザＩＤが保存されていないと、前記共有アルバムに同期化させる必要があるイメージを共有アルバムに同期化させることを不可する。
【００４７】
以下、図２Ｂを結合して、本発明を例示的に説明する。図２Ｂに示したように、ユーザＳｉｍｏｎのスマート端末２１には大量のイメージが保存されており、これらイメージをクラウド同期化の方法によってサーバ２３上の共有アルバム中に同期化させることができる。サーバ２３は、保存されたイメージをユーザＩＤによって認識する。一般的に、ユーザＳｉｍｏｎによりサーバ２３に保存したイメージは、ユーザＳｉｍｏｎのみアクセスできる。ユーザＳｉｍｏｎが、サーバ２３の共有アルバム上で、一つの共有アルバム２１０を作成した場合、当該共有アルバムを通じて他の人（例えば、ユーザＡｍｙである）に共有できる。一実施例において、ユーザＳｉｍｏｎは、ユーザＡｍｙがスマート端末２２を用いて撮影したイメージを自分（ユーザＳｉｍｏｎ）の共有アルバム内に共有することを許可してもよい。このようにして、Ａｍｙによって撮影した設定した人のイメージを、Ｓｉｍｏｎの共有アルバムにタイムリーにアップロードするようにする。同時に、ユーザＳｉｍｏｎは、自分が撮影したイメージを自分の共有アルバム内に共有して、ＡｍｙがＳｉｍｏｎの共有アルバムからリアルタイムに設定した人のイメージをアクセスするようにする。
【００４８】
例えば、ＳｉｍｏｎとＡｍｙとは、夫婦の関係であり、子供はＢｏｂｂｙであり、ＳｉｍｏｎとＡｍｙとは一緒にＢｏｂｂｙを注目しているとする。Ａｍｙは、スマート端末２２を用いてＢｏｂｂｙ顔が含まれたイメージを撮影した後に、Ｂｏｂｂｙ顔が含まれたイメージを、スマート端末２２を用いてサーバ２３上のＳｉｍｏｎの共有アルバム中にリアルタイムに同期化させることにより、Ｓｉｍｏｎが当該イメージを共有アルバムを通じてリアルタイムに共有するようにする。さらに、例えば、Ｓｉｍｏｎは、Ｂｏｂｂｙ顔が含まれたイメージを撮影した後に、Ｂｏｂｂｙ顔が含まれたイメージを、スマート端末２１を通じて、サーバ２３上のＳｉｍｏｎの共有アルバム中にリアルタイムに同期化させることにより、Ａｍｙが当該イメージをリアルタイムに共有するようにする。一実施例において、共有アルバムは、Ｓｉｍｏｎのスマート端末２１上にも表示できるし、Ａｍｙのスマート端末２２上にも表示できる。一実施例において、Ｂｏｂｂｙ顔特徴が含まれたイメージを、共有アルバム中のファイル２１０中に保存してもよい。
【００４９】
本実施例は、上記の実施例の有益な効果のほか、以下の効果もある。第２リスト中に共有アルバムに同期化させる必要があるイメージに対応するユーザＩＤが保存されているか否かを検出して、第２リスト中に共有アルバムに同期化させる必要があるイメージに対応するユーザＩＤが保存されていると、共有アルバムに同期化させる必要があるイメージに対応するユーザＩＤに対応するユーザが撮影したイメージを、共有アルバムにリアルタイムに同期化させることにより、ユーザがイメージをリアルタイムに共有するようにする。
【００５０】
図３は、例示的な実施例２に係るイメージ共有方法を示すフローチャートである。本実施例は、本発明の実施例によって提供する上記の方法において、第３リストの方法によって共有イメージをアクセスする権限を有するユーザＩＤを特定する例を挙げて、例示的に説明する。図２Ｂを結合しながら、本実施例を例示的に説明する。本実施例は、図３に示したように、以下のステップを含む。
【００５１】
ステップＳ３０１において、共有アルバムをアクセスしようとするユーザＩＤが検出されると、共有アルバムをアクセスする権限を有するユーザＩＤを記録するための第３リスト中に、当該ユーザＩＤが保存されているか否かを特定して、第３リスト中に当該ユーザＩＤが保存されていると、ステップＳ３０２を実行し、第３リスト中に当該ユーザＩＤが保存されていないと、ステップＳ３０３を実行する。第３リスト中のユーザＩＤの数は、共有アルバムのユーザにより、共有する必要がある人のイメージに基づいて設定してもよい。第３リスト中のユーザＩＤは、一つのユーザＩＤを含んでもよいし、二つ以上のユーザＩＤを含んでもよく、本発明においては具体的な数に対して限定しない。一実施例において、第３リスト中に含まれたユーザＩＤは、上記の実施例中の第２リスト中に含まれたユーザＩＤと同一であってもよいし、同一でないでもよく、具体的には、共有アルバムのユーザから設定する。
【００５２】
ステップＳ３０２において、第３リスト中に共有アルバムをアクセスしようとするユーザＩＤが保存されていると、共有アルバムをアクセスしようとするユーザＩＤに対応するユーザの共有アルバムのアクセスを許可する。
【００５３】
ステップＳ３０３において、第３リスト中に共有アルバムをアクセスしようとするユーザＩＤが保存されていないと、共有アルバムをアクセスしようとするユーザＩＤに対応するユーザの共有アルバムのアクセスを不可する。
【００５４】
図２Ｂを結合しながら、例示的に説明する。図２Ｂに示したように、サーバ２３は、Ａｍｙが共有アルバムをアクセスしようとすることが検出されると、第３リスト中に当該ユーザＩＤＡｍｙが保存されているか否かを特定して、第３リスト中に当該ユーザＩＤＡｍｙが保存されていると、ＡｍｙのＳｉｍｏｎの共有アルバムのアクセスを許可し、第３リスト中に当該ユーザＩＤＡｍｙが保存されていないと、Ａｍｙの共有アルバムのアクセスを不可する。
【００５５】
本実施例は、上記の実施例の有益な効果のほか、以下の効果もある。第３リスト中に共有アルバムのイメージをアクセスできるユーザＩＤが保存されているか否かを検出して、第３リスト中に共有アルバムのイメージをアクセスできるユーザＩＤが保存されていると、当該ユーザＩＤの共有アルバムのアクセスを許可し、第３リスト中に共有アルバムのイメージをアクセスできるユーザＩＤが保存されていないと、当該ユーザＩＤの共有アルバムのアクセスを不可にすることにより、共有アルバムのセキュリティを保証できる。
【００５６】
図４は、例示的な実施例３に係るイメージ共有方法を示すフローチャートである。本実施例は、本発明の実施例によって提供する上記の方法において、共有アルバム上のイメージを顔毎に保存する例を挙げて、例示的に説明する。図２Ｂを結合しながら、本実施例を例示的に説明する。本実施例は、図４に示したように、以下のステップを含む。
【００５７】
ステップＳ４０１において、クラウドアルバム中の各イメージ中の顔特徴を認識する。
【００５８】
ステップＳ４０２において、クラウドアルバム中の顔特徴に対して顔によるクラスタリングを行って、同一な顔特徴を有するイメージを含む、少なくとも一つの顔アルバムを得る。
【００５９】
ステップＳ４０３において、顔アルバムに基づいて共有アルバムを作成する。
【００６０】
以下、図２Ｂを結合して、本発明を例示的に説明する。図２Ｂに示したように、ユーザＳｉｍｏｎによりスマート端末２１を用いてサーバ２３に保存したクラウドアルバム中で、顔認識方法によって、クラウドアルバム中の全部のイメージに対して顔認識を行って、各顔に対応する顔特徴を特定して、クラウドアルバム中の顔特徴に対して顔によるクラスタリングを行って、同一な顔特徴を有するイメージが含まれた、少なくとも一つの顔アルバムを得る。例えば、Ｓｉｍｏｎの共有アルバム中の各イメージを顔認識して、Ａｍｙ、Ｂｏｂｂｙ、及びＳｕｎｎｙの顔特徴を得る。Ａｍｙ、Ｂｏｂｂｙ、及びＳｕｎｎｙにそれぞれ対応するイメージをクラスタ化して、Ａｍｙ、Ｂｏｂｂｙ、及びＳｕｎｎｙの顔特徴が含まれた、少なくとも一つの顔アルバムを得る。Ａｍｙ、Ｂｏｂｂｙ、及びＳｕｎｎｙにそれぞれ対応する顔特徴の顔アルバムに基づいて、共有アルバムに作成する。例えば、Ｂｏｂｂｙの顔特徴が含まれた共有アルバムを作成して、Ａｍｙが当該共有アルバムをアクセスする時に、Ｂｏｂｂｙの全部のイメージを参照できるようにする。このようにして、共有アルバム中の顔特徴毎のイメージの保存を実現して、Ｓｉｍｏｎ及びＡｍｙの共有アルバム中のＢｏｂｂｙのイメージの照会を便利にした。
【００６１】
本実施例において、共有アルバム中のイメージを顔特徴毎にクラスタ化することにより、人毎の共有アルバムを実現して、ユーザの共有アルバム中のイメージの照会を便利にした。
【００６２】
図５は、例示的な実施例に係るイメージ共有装置を示すブロック図である。図５に示したように、イメージ共有装置は、検出モジュール５１、第１特定モジュール５２、及び保存モジュール５３を備える。
【００６３】
検出モジュール５１は、共有アルバムに同期化させる必要があるイメージがあるか否かを検出する。
【００６４】
第１特定モジュール５２は、検出モジュール５１により共有アルバムに同期化させる必要があるイメージがあることが検出されると、共有する必要がある予め設定した顔特徴を記録するための第１リスト中に、イメージ中の顔特徴と一致する予め設定した顔特徴が存在するか否かを特定する。
【００６５】
保存モジュール５３は、第１特定モジュール５２によりイメージ中の顔特徴と一致する予め設定した顔特徴が存在と特定した場合、イメージを共有アルバム中に保存する。
【００６６】
図６は、例示的な実施例に係るもう一イメージ共有装置を示すブロック図である。一実施例において、図６に示したように、上記の図５に示した実施例の上で、検出モジュール５１は、検出サブモジュール５１１、特定サブモジュール５１２、及び不可サブモジュール５１３を備える。
【００６７】
検出サブモジュール５１１は、同期化権限を有するユーザＩＤを記録するための第２リスト中に、共有アルバムに同期化させる必要があるイメージに対応するユーザＩＤが保存されているか否かを検出する。
【００６８】
特定サブモジュール５１２は、検出サブモジュール５１１により第２リスト中に共有アルバムに同期化させる必要があるイメージに対応するユーザＩＤが保存されていると特定した場合、共有アルバムに同期化させる必要があるイメージを特定する。
【００６９】
不可サブモジュール５１３は、検出サブモジュール５１１により第２リスト中に共有アルバムに同期化させる必要があるイメージに対応するユーザＩＤが保存されていないと特定した場合、共有アルバムに同期化させる必要があるイメージを共有アルバムに同期化させることを不可する。
【００７０】
一実施例において、装置は、第２特定モジュール５４、及びアクセスモジュール５５を、さらに、備える。
【００７１】
第２特定モジュール５４は、検出モジュール５１により共有アルバムにアクセスしようとするユーザＩＤが検出されると、共有アルバムをアクセスする権限を有するユーザＩＤを記録するための第３リスト中に、当該ユーザＩＤが保存されているか否かを特定する。
【００７２】
アクセスモジュール５５は、第２特定モジュール５４により第３リスト中に共有アルバムをアクセスしようとするユーザＩＤが保存されていると特定した場合、共有アルバムをアクセスしようとするユーザＩＤに対応するユーザの共有アルバムのアクセスを許可する。
【００７３】
一実施例において、装置は、認識モジュール５６、顔クラスタ化モジュール５７、及び、作成モジュール５８を、さらに、備える。
【００７４】
認識モジュール５６は、クラウドアルバム中の各イメージ中の顔特徴を認識する。
【００７５】
顔クラスタ化モジュール５７は、認識モジュール５６により認識したクラウドアルバム中の顔特徴に対して顔によるクラスタリングを行って、同一な顔特徴を有するイメージが含まれた、少なくとも一つの顔アルバムを得る。
【００７６】
作成モジュール５８は、顔クラスタ化モジュール５７によりクラスタ化して得た顔アルバムに基づいて、共有アルバムを作成する。
【００７７】
上記の実施例の装置について、その各モジュールが実行する操作の具体的な形態は既に当該方法に関する実施例において詳細に説明したため、ここでは詳細に説明しない。
【００７８】
図７は、例示的な一実施例に係る通信識別子処理装置７００を示すブロック図である。例えば、装置７００をスマートフォン又はタブレットＰＣとして提供してもよい。図７を参照すると、装置７００は、プロセスアセンブリ７２２を備える。当該プロセスアセンブリ７２２は、一つ以上のプロセッサ、及びメモリ７３２を代表とするメモリリソースを、さらに備える。当該メモリリソースは、プロセスアセンブリ７２２によって実行される、例えばアプリケーションプログラムのような命令を保存する。メモリ７３２中に保存されたアプリケーションプログラムには、それぞれ一つの命令のセットに対応する一つ以上のモジュールを含まれてもよい。なお、プロセスアセンブリ７２２は、命令を実行することにより、上記のイメージ共有方法を実行する。
【００７９】
装置７００は、装置７００の電源を管理するための一つの電源アセンブリ７２６、装置７００をネットワークに接続させるための一つの有線又は無線のネットワークインターフェイス７５０、及び、一つの入出力インターフェイス７５８を備えてもよい。装置７００は、メモリ７３２に保存された、例えば、Ｗｉｎｄｏｗｓ  ＳｅｒｖｅｒＴＭ、Ｍａｃ  ＯＳ  ＸＴＭ、ＵｎｉｘＴＭ，  ＬｉｎｕｘＴＭ、ＦｒｅｅＢＳＤＴＭのようなオペレーティング・システムによって、操作を行うことができる。
【００８０】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【００８１】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。 
【図１】
0006275924.tif 000002
【図２Ａ】
0006275924.tif 000003
【図２Ｂ】
0006275924.tif 000004
【図３】
0006275924.tif 000005
【図４】
0006275924.tif 000006
【図５】
0006275924.tif 000007
【図６】
0006275924.tif 000008
【図７】
0006275924.tif 000009